(57)【要約】【課題】  レッグプレスとチェストプレスの２種類の訓練を行なう場合、２台の機器を設置するので、占有面積が大きく、費用も嵩み、便利も良くないという点である。【解決手段】  フレーム１と、椅子部２と、フレーム１に軸支され、把手３が設けられる操作アーム４と、フレーム１に軸支され足を乗せる足乗せ部５と、操作アーム４の移動に負荷を掛け又は足乗せ部５の移動に負荷を掛ける負荷装置６と、負荷装置６と操作アーム４とを連結・解除し、及び、負荷装置６と足乗せ部５とを連結・解除する負荷掛止具７とからなり、該負荷掛止具７の適宜な連結・解除操作によりレッグプレスとチェストプレスの訓練が同時に又は別々にできる筋力訓練機である。【選択図】      図１
2006239395.tif 000002
【特許請求の範囲】
【請求項１】
フレーム（１）と、椅子部（２）と、フレーム（１）に軸支され、把手（３）が設けられる操作アーム（４）と、フレーム（１）に軸支され足を乗せる足乗せ部（５）と、操作アーム（４）の移動に負荷を掛け及び／又は足乗せ部（５）の移動に負荷を掛ける負荷装置（６）と、負荷装置（６）と操作アーム（４）とを連結・解除し、及び、負荷装置（６）と足乗せ部（５）とを連結・解除する負荷掛止具（７）とからなり、
該負荷掛止具（７）の適宜な連結・解除操作によりレッグプレスとチェストプレスの訓練が同時に又は別々にできることを特徴とする筋力訓練機。
【請求項２】
負荷装置（６）は、負荷フレーム（８）と、負荷フレーム（８）に収容される錘（９）と、錘（９）に連繋され該錘（９）を吊り上げる負荷アーム（１０）とからなり、
該負荷アーム（１０）の下端の負荷アーム軸（１１）と、操作アーム（４）の下端の操作アーム軸（１２）と、足乗せ部（５）を支える足フレーム（１９）の下端の足乗せ部軸（１３）とを同芯軸（１４）とし、
負荷掛止具（７）は、負荷アーム軸（１１）と操作アーム軸（１２）を連結・解除し、及び、負荷アーム軸（１１）と足乗せ部軸（１３）を連結・解除するものであり、
負荷アーム（１０）に連繋された錘（９）を足乗せ部（５）の負荷と操作アーム（４）の負荷に共用することを特徴とする請求項１記載の筋力訓練機。
【請求項３】
操作アーム軸（１２）に操作アーム側アーム（２３）が取着され、足乗せ部軸（１３）に足板側アーム（２７）が取着され、
負荷掛止具（７）は、負荷アーム（１０）に設けられ該負荷アーム（１０）と操作アーム側アーム（２３）とを掛止する操作アーム掛止具（１６）と、負荷アーム（１０）に設けられ該負荷アーム（１０）と足板側アーム（２７）とを掛止する足板掛止具（１７）とからなり、
操作アーム掛止具（１６）及び足板掛止具（１７）の適宜な掛止・解除操作により、錘（９）を足乗せ部（５）及び操作アーム（４）に択一的又は双方同時に連結されることを特徴とする請求項１又は２記載の筋力訓練機。
【請求項４】
足乗せ部（５）は、足板（１８）と、足フレーム（１９）と、足フレーム（１９）と足板（１８）とに亘って設けられ足板（１８）の傾斜角度を調節する足板角度調節器（２０）とからなることを特徴とする請求項１乃至３のいずれか１項に記載の筋力訓練機。
【請求項５】
足乗せ部（５）は、足板（１８）と、平行リンク（２１）と、リンク足フレーム（２２）とからなり、足板（１８）は傾斜角度を一定に保ちながら回動することを特徴とする請求項１乃至３のいずれか１項に記載の筋力訓練機。
【請求項６】
操作アーム側アーム（２３）の上端に、アーム位置調節片（２５）が取り付けられ、
操作アーム掛止具（１６）で、アーム位置調節片（２５）の掛止位置を適宜選択して掛止することによって操作アーム（４）の訓練開始位置を調節することを特徴とする請求項１乃至３のいずれか１項に記載の筋力訓練機。
【請求項７】
足乗せ部軸（１３）に繋がる足板側アーム（２７）の上端に足板位置調節片（２８）が取り付けられ、
足板掛止具（１７）で、足板位置調節片（２８）の掛止位置を適宜選択して掛止することによって足乗せ部（５）の訓練開始位置を調節できることを特徴とする請求項１乃至３のいずれか１項に記載の筋力訓練機。
【請求項８】
把手（３）は、操作アーム（４）の上部に摺動固定可能に外嵌された把手用パイプ（３０）に取着され、
把手（３）は高さを調節できることを特徴とする請求項１乃至３のいずれか１項に記載の筋力訓練機。
【請求項９】
操作アーム（４）を、椅子部（２）へ移乗する被訓練者の邪魔にならない位置に移動固定でき、更に、固定された操作アーム（４）は椅子部（２）へ移乗する被訓練者の手摺りとして使用できることを特徴とする請求項１乃至３のいずれか１項に記載の筋力訓練機。
【請求項１０】
椅子部（２）と、把手（３）を有する操作アーム（４）と、足を乗せる足乗せ部（５）と、操作アーム（４）及び足乗せ部（５）の各動きに対抗して負荷を掛ける負荷装置（６）と、これらを支持するフレーム（１）とからなり、上肢訓練と下肢訓練とを１台の機器で行なえることを特徴とする筋力訓練機。
【請求項１１】
フレーム（１）に、操作アーム（４）を軸支する操作アーム軸（１２）と、足乗せ部（５）の足フレーム（１９）が取着される足乗せ部軸（１３）とが設けられ、操作アーム軸（１２）に操作アーム側アーム（２３）が立設され、足乗せ部軸（１３）に足板側アーム（２７）が立設され、
操作アーム側アーム（２３）の上端（２３ａ）と、足板側アーム（２７）の上端（２７ａ）とを操作側索体（４４）で連結し、操作側索体（４４）の張設中間を動滑車（４３）に掛け回し、動滑車（４３）の中心軸（４５）を負荷装置（６）に連結してなることを特徴とする請求項１０記載の筋力訓練機。
【請求項１２】
操作アーム側アーム（２３）の上端（２３ａ）に、上肢滑車（４６）が設けられ、上肢滑車（４６）に操作側索体（４４）が掛け回され、
上肢滑車（４６）に掛け回される操作側索体（４４）の、索体一方（４４ａ）は動滑車（４３）に掛け回され、索体他方（４４ｂ）はその先端が、フレーム（１）に掛け止められ又は操作アーム側アーム（２３）の上端（２３ａ）に当接掛止されることを特徴とする請求項１１記載の筋力訓練機。
【請求項１３】
足板側アーム（２７）の上端（２７ａ）に、脚滑車（４９）が設けられ、脚滑車（４９）に操作側索体（４４）が掛け回され、
脚滑車（４９）に掛け回される操作側索体（４４）の、索体一方（４４ｃ）は動滑車（４３）に至り前記索体一方（４４ａ）と一連とされ、索体他方（４４ｄ）はその先端が、フレーム（１）に掛け止められ又は足板側アーム（２７）の上端（２７ａ）に当接掛止されることを特徴とする請求項１１又は１２記載の筋力訓練機。
【請求項１４】
操作アーム側アーム（２３）と足板側アーム（２７）の連動、非連動を切り換える連動切換具（５１）が設けられることを特徴とする請求項３又は１１記載の筋力訓練機。
【発明の詳細な説明】
【技術分野】
【０００１】
本発明は、筋力のパワーアップを図る筋力訓練機において、胸、肩、上肢、下肢等の各筋を増強するための筋力訓練機に関する。
【背景技術】
【０００２】
従来装置は、グリップ、フレーム、レバー、ウエイト吊支用枠体、ウエイト、カウンターアーム、アシストバー等の構成部材からなる筋力鍛錬装置が開示されている。
【０００３】
前記従来装置では、グリップを押す時、足でアシストバーを蹴ることが出来るので、通例腕の力だけで持ち上げるウエイトの量よりも大きい量を扱え、より効果的な筋肉鍛錬が出来る。
【０００４】
しかし、前記従来装置は、アシストバーは有ってもチェストプレスを行うだけの装置であり、１台の装置で、レッグプレスとチェストプレスの２種類の訓練を行なうことはできないものであった。
【特許文献１】特許２７２４１３２号公報
【発明の開示】
【発明が解決しようとする課題】
【０００５】
解決しようとする課題は、レッグプレスとチェストプレスの２種類の訓練を行なう場合、２台の機器を設置するので、占有面積が大きく、費用も嵩み、便利も良くないため、レッグプレスとチェストプレスの２種類の訓練を１台の機器で行なえる機器を提供することである。
【課題を解決するための手段】
【０００６】
本発明の目的は、１台の筋力訓練機でレッグプレスとチェストプレスの２種類の訓練を行なえ、省スペースであり、安価であり、便利な訓練機を提供することにある。
即ち、本発明は、フレーム（１）と、椅子部（２）と、フレーム（１）に軸支され、把手（３）が設けられる操作アーム（４）と、フレーム（１）に軸支され足を乗せる足乗せ部（５）と、操作アーム（４）の移動に負荷を掛け及び／又は足乗せ部（５）の移動に負荷を掛ける負荷装置（６）と、負荷装置（６）と操作アーム（４）とを連結・解除し、及び、負荷装置（６）と足乗せ部（５）とを連結・解除する負荷掛止具（７）とからなり、該負荷掛止具（７）の適宜な連結・解除操作によりレッグプレスとチェストプレスの訓練が同時に又は別々にできる筋力訓練機である。
又、負荷装置（６）は、負荷フレーム（８）と、負荷フレーム（８）に収容される錘（９）と、錘（９）に連繋され該錘（９）を吊り上げる負荷アーム（１０）とからなり、該負荷アーム（１０）の下端の負荷アーム軸（１１）と、操作アーム（４）の下端の操作アーム軸（１２）と、足乗せ部（５）を支える足フレーム（１９）の下端の足乗せ部軸（１３）とを同芯軸（１４）とし、負荷掛止具（７）は、負荷アーム軸（１１）と操作アーム軸（１２）を連結・解除し、及び、負荷アーム軸（１１）と足乗せ部軸（１３）を連結・解除するものであり、負荷アーム（１０）に連繋された錘（９）を足乗せ部（５）の負荷と操作アーム（４）の負荷に共用する。
更に、操作アーム軸（１２）に操作アーム側アーム（２３）が取着され、足乗せ部軸（１３）に足板側アーム（２７）が取着され、負荷掛止具（７）は、負荷アーム（１０）に設けられ該負荷アーム（１０）と操作アーム側アーム（２３）とを掛止する操作アーム掛止具（１６）と、負荷アーム（１０）に設けられ該負荷アーム（１０）と足板側アーム（２７）とを掛止する足板掛止具（１７）とからなり、操作アーム掛止具（１６）及び足板掛止具（１７）の適宜な掛止・解除操作により、錘（９）を足乗せ部（５）及び操作アーム（４）に択一的又は双方同時に連結される。
更に又、足乗せ部（５）は、足板（１８）と、足フレーム（１９）と、足フレーム（１９）と足板（１８）とに亘って設けられ足板（１８）の傾斜角度を調節する足板角度調節器（２０）とからなる。
又、足乗せ部（５）は、足板（１８）と、平行リンク（２１）と、リンク足フレーム（２２）とからなり、足板（１８）は傾斜角度を一定に保ちながら回動する。
更に、操作アーム側アーム（２３）の上端に、アーム位置調節片（２５）が取り付けられ、操作アーム掛止具（１６）で、アーム位置調節片（２５）の掛止位置を適宜選択して掛止することによって操作アーム（４）の訓練開始位置を調節する。
更に又、足乗せ部軸（１３）に繋がる足板側アーム（２７）の上端に足板位置調節片（２８）が取り付けられ、足板掛止具（１７）で、足板位置調節片（２８）の掛止位置を適宜選択して掛止することによって足乗せ部（５）の訓練開始位置を調節できる。
又、把手（３）は、操作アーム（４）の上部に摺動固定可能に外嵌された把手用パイプ（３０）に取着され、把手（３）は高さを調節できる。
更に、操作アーム（４）を、椅子部（２）へ移乗する被訓練者の邪魔にならない位置に移動固定でき、更に、固定された操作アーム（４）は、椅子部（２）へ移乗する被訓練者の手摺りとして使用できる。
更に又、椅子部（２）と、把手（３）を有する操作アーム（４）と、足を乗せる足乗せ部（５）と、操作アーム（４）及び足乗せ部（５）の各動きに対抗して負荷を掛ける負荷装置（６）と、これらを支持するフレーム（１）とからなり、上肢訓練と下肢訓練とを１台の機器で行なえる。
又、フレーム（１）に、操作アーム（４）を軸支する操作アーム軸（１２）と、足乗せ部（５）の足フレーム（１９）が取着される足乗せ部軸（１３）とが設けられ、操作アーム軸（１２）に操作アーム側アーム（２３）が立設され、足乗せ部軸（１３）に足板側アーム（２７）が立設され、操作アーム側アーム（２３）の上端（２３ａ）と、足板側アーム（２７）の上端（２７ａ）とを操作側索体（４４）で連結し、操作側索体（４４）の張設中間を動滑車（４３）に掛け回し、動滑車（４３）の中心軸（４５）を負荷装置（６）に連結してなる。
更に、操作アーム側アーム（２３）の上端（２３ａ）に、上肢滑車（４６）が設けられ、上肢滑車（４６）に操作側索体（４４）が掛け回され、上肢滑車（４６）に掛け回される操作側索体（４４）の、索体一方（４４ａ）は動滑車（４３）に掛け回され、索体他方（４４ｂ）はその先端が、フレーム（１）に掛け止められ又は操作アーム側アーム（２３）の上端（２３ａ）に当接掛止される。
更に又、足板側アーム（２７）の上端（２７ａ）に、脚滑車（４９）が設けられ、操作側索体（４４）が掛け回され、脚滑車（４９）に掛け回される操作側索体（４４）の、索体一方（４４ｃ）は動滑車（４３）に至り前記索体一方（４４ａ）と一連とされ、索体他方（４４ｄ）はその先端が、フレーム（１）に掛け止められ又は足板側アーム（２７）の上端（２７ａ）に当接掛止される。
又、操作アーム側アーム（２３）と足板側アーム（２７）の連動、非連動を切り換える連動切換具（５１）が設けられる。
【発明の効果】
【０００７】
本発明は、負荷装置６と操作アーム４とを連結・解除し、及び、負荷装置６と足乗せ部５とを連結・解除する負荷掛止具７を有し、該負荷掛止具７の適宜操作によりレッグプレスとチェストプレスの訓練が同時に又は別々にできるから、訓練の種類ごとに機器を設置するものに比して、本発明は１台の機器で足りるから、省スペース化が図れ、安価であり、便利であり、好都合である。
【０００８】
本発明に係る負荷掛止具７は、負荷アーム軸１１と操作アーム軸１２を連結・解除し、及び、負荷アーム軸１１と足乗せ部軸１３を連結・解除するものであり、負荷アーム軸１１に繋がった錘９を足乗せ部５の負荷と操作アーム４の負荷に共用するから、機器の軽量化が図れ、同芯軸１４の構成により構成が小型化でき簡素となり、低価格となり、好都合である。
【０００９】
本発明に係る操作アーム掛止具１６及び足板掛止具１７の適宜な掛止・解除操作により、錘９を足乗せ部５及び操作アーム４に双方同時に又は択一的に連結できるから、レッグプレスの訓練とチェストプレスの訓練との切り換え操作が簡単であり、好都合である。
【００１０】
本発明に係る足乗せ部５は、足板１８と、足フレーム１９と、足フレーム１９と足板１８とに亘って設けられ足板１８の傾斜角度を調節する足板角度調節器２０とからなるから、足板１８の角度を被訓練者の個体差に対応した好適位置に調節することにより、被訓練者に無理な姿勢をさせず楽な姿勢で訓練できるので、好都合である。
【００１１】
本発明に係る足乗せ部５は、足板１８と、平行リンク２１と、リンク足フレーム２２とからなり、足板１８は傾斜角度を一定に保ちながら移動するので、可動域全域に亘って足関節角度が過度に底背屈することなく、本機を苦痛なく楽に使用でき、又、使用できる被訓練者層が広がり汎用性が向上し、好都合である。
【００１２】
本発明は、負荷アーム１０に設けられた操作アーム掛止具１６で、アーム位置調節片２５の掛止位置を適宜選択して掛止することによって操作アーム４の訓練開始位置を調節するものであるから、操作アーム４の訓練開始位置を被訓練者毎の個体差に対応した好適位置に設定することにより良好な姿勢で訓練を実施できるので、好都合である。
【００１３】
本発明は、負荷アーム１０に設けられた足板掛止具１７で、足板位置調節片２８の掛止位置を適宜選択して掛止することによって足乗せ部５の訓練開始位置を調節するものであるから、足乗せ部５の訓練開始位置を被訓練者毎の個体差に対応した好適位置に設定することにより良好な姿勢で訓練を実施できるので、好都合である。
【００１４】
本発明に係る把手３は、操作アーム４の上部に摺動固定可能に外嵌された把手用パイプ３０に取着され、把手３は高さを調節できるから、把手３の高さを被訓練者毎の個体差に対応した好適位置に設定することにより良好な姿勢で訓練を実施できるので、好都合である。
【００１５】
本発明は、操作アーム４を、椅子部２へ移乗する被訓練者の邪魔にならない位置に移動固定でき、更に、固定された操作アーム４は椅子部２へ移乗する被訓練者の手摺りとして使用できるようにしたから、被訓練者が、椅子部２の前に障害物がなく椅子部２へスムーズに移乗できると共に、体の不自由な被訓練者の場合は、固定された操作アーム４が移乗用の手摺りとしても活用でき、楽に安全に乗降できるので、好都合である。
【００１６】
本発明は、椅子部２と、把手３を有する操作アーム４と、足を乗せる足乗せ部５と、操作アーム４及び足乗せ部５の各動きに対抗して負荷を掛ける負荷装置６と、これらを支持するフレーム１とからなり、上肢訓練と下肢訓練とを１台の機器で行なえるから、１台の機器で上肢訓練（例えばチェストプレス）と下肢訓練（例えばレッグプレス）が行なえ、便利であり、経費安価、省スペースとなり、好都合である。
【００１７】
本発明は、操作アーム側アーム２３の上端２３ａと、足板側アーム２７の上端２７ａとを操作側索体４４で連結し、操作側索体４４の張設中間を動滑車４３に掛け回し、動滑車４３の中心軸４５を負荷装置６に連結してなるから、１個セットの錘９が、動滑車４３により2種類の運動機（上肢訓練と下肢訓練）に利用でき、経費削減、省スペース化になり、好都合である。
【００１８】
本発明は、操作アーム側アーム２３の上端２３ａに、上肢滑車４６が設けられ、上肢滑車４６に操作側索体４４が掛け回され、上肢滑車４６に掛け回される操作側索体４４の、索体一方４４ａは動滑車４３に掛け回され、索体他方４４ｂはその先端が、フレーム１に掛け止められ又は操作アーム側アーム２３の上端２３ａに当接掛止されるから、操作側索体４４の先端４４ｂをフレーム１に掛け止めるか操作アーム側アーム上端２３ａに当接掛止させるか、いずれかの選択で、錘９の重さを１．０倍に作用させたり、０．５倍に作用させたりでき、運動者の能力に合わせて適切な抵抗負荷を設定でき、好都合である。
【００１９】
本発明は、足板側アーム２７の上端２７ａに、脚滑車４９が設けられ、操作側索体４４が掛け回され、脚滑車４９に掛け回される操作側索体４４の、索体一方４４ｃは動滑車４３に至り前記索体一方４４ａと一連とされ、索体他方４４ｄはその先端が、フレーム１に掛け止められ又は足板側アーム２７の上端２７ａに当接掛止されるから、操作側索体４４の先端４４ｃをフレーム１に掛け止めるか足板側アーム上端２７ａに掛け止めるか、いずれかの選択で、錘９の重さを１．０倍に作用させたり、０．５倍に作用させたりでき、運動者の能力に合わせて適切な抵抗負荷を設定でき、好都合である。
【００２０】
本発明は、操作アーム側アーム２３と足板側アーム２７の連動、非連動を切り換える連動切換具５１が設けられるから、操作アーム側アーム２３と足板側アーム２７が、共に同期して動くようにするか、個々独立に動くようにするかを選択可能であり、上下肢の訓練の態様を増して運動をし易くでき、好都合である。
又、操作アーム側アーム２３と足板側アーム２７が共に同期して動くようにした場合、操作アーム４のスタート時の負荷を、自身で足乗せ部５を操作して軽減でき、或いは、足乗せ部５のスタート時の負荷を、自身で操作アーム４を操作して軽減でき、操作アーム４及び足乗せ部５の初動を楽に行なうことができるので、例えば、初動時の操作が困難である高齢者でも容易に運動でき、好都合である。
【発明を実施するための最良の形態】
【００２１】
被訓練者は、本発明の筋力訓練機２６を用いて筋力のパワーアップを図る。チェストプレスの訓練をする場合、被訓練者は、椅子部２に腰掛け、操作アーム４の把手３を掴み、操作アーム４を押し出し、胸、肩、上肢の筋力を発動し、該操作アーム４を動かす。負荷装置６の錘９は、負荷フレーム８内に昇降可能に保持され、操作アーム４に連動して昇降し、操作アーム４の移動に対して重力負荷を掛ける。
【００２２】
或いは、レッグプレスの訓練をする場合、被訓練者は、椅子部２に腰掛け、足乗せ部５に足を乗せ、該足乗せ部５に向かって膝を屈伸し、下肢の筋力を発動し足乗せ部５を動かす。負荷装置６の錘９は、負荷フレーム８内に昇降可能に保持され、足乗せ部５に連動して昇降し、足乗せ部５の移動に対して重力負荷を掛ける。
【００２３】
負荷掛止具７の操作により負荷装置６と操作アーム４とを連結し、チェストプレスの訓練を行なう。負荷掛止具７の操作により負荷装置６と足乗せ部５とを連結し、レッグプレスの訓練を行なう。チェストプレスとレッグプレスの訓練を同時に行なう場合、負荷掛止具７の操作により負荷装置６と操作アーム４とを連結し、更に負荷装置６と足乗せ部５とを連結し、足乗せ部５と操作アーム４とが一体化して動く状態になす。
上肢訓練と下肢訓練が、一台の筋力訓練機２６でできる。具体的には、チェストプレスとレッグプレスの訓練が、一台の筋力訓練機２６でできる。
【実施例１】
【００２４】
図１〜２に本発明の実施例１を示す。図１は筋力訓練機２６の斜視図、図２は正面断面図である。
実施例１の筋力訓練機２６を用いて、被訓練者は、腰掛けた姿勢で、操作アーム４を腕で押し出し、胸、肩、上肢の筋の訓練を行ない、或いは、腰掛けた姿勢で、足乗せ部５を足で押し、下肢の筋の訓練を行なう。
【００２５】
実施例１は、フレーム１と、フレーム１に設けられ被訓練者が腰掛ける椅子部２と、椅子部２の前方のフレーム１に設けられ被訓練者が力を加えて動かす操作アーム４及び足乗せ部５と、椅子部２の横方に設けられ操作アーム４及び足乗せ部５の変位分に負荷を掛ける負荷装置６と、操作アーム４の横方に設けられ操作アーム４及び足乗せ部５の変位分を負荷装置６に連結する連結機構２９とからなる。
【００２６】
椅子部２は、被訓練者が座るものであって、伸縮・固定可能な支柱３５と、座部３６と、背凭れ３７と、グリップ１５とからなる。
【００２７】
足乗せ部５は、足板１８と、足フレーム１９と、足フレーム１９と足板１８とに亘って設けられ足板１８の傾斜角度を調節する足板角度調節器２０とからなる。
前記足板１８は、被訓練者に接近する程低位に傾斜した平板３８と、平板３８の表面の縁に踵を支持し足が平板３８から脱落しないように設けられた縁部材３９とからなる。
足フレーム１９の下端はフレーム１に軸支された足乗せ部軸１３に取着される。
【００２８】
操作アーム４の上部には、把手用パイプ３０が摺動固定可能に外嵌され、把手用パイプ３０に把手３が取着され、更に、把手用パイプ３０を固定する固定具３３が取着される。
操作アーム４の下部はフレーム１に軸支された操作アーム軸１２に取着される。
操作アーム４を、移乗の邪魔にならない位置へ移動させた後、操作アーム固定具３１により固定できる。固定した操作アーム４は移乗用手摺りとして使用できる。
前記把手３は把手用パイプ３０の昇降移動によって高さを調節できる。尚、把手３には、横向きに設けられた横把手３ａと、縦向きに設けられた縦把手３ｂがある。
【００２９】
負荷装置６は、負荷フレーム８と、負荷フレーム８に掛け回わされる紐３４と、負荷フレーム８に収容され負荷フレーム８から吊下された紐３４に繋がれた錘９とからなる。
前記負荷フレーム８には、足乗せ部５及び操作アーム４を回動不自在に錠止する操作アーム固定具３１及び足板固定具３２が設けられる。
【００３０】
操作アーム軸１２に足乗せ部軸１３及び負荷アーム軸１１が外嵌されてなり、負荷アーム軸１１、足乗せ部軸１３及び操作アーム軸１２は同芯軸１４を構成し、フレーム１に軸止される。負荷アーム１０の下端は前記負荷アーム軸１１に取着される。
【００３１】
連結機構２９は、錘９に紐３４で連繋される負荷アーム１０と、下端が操作アーム軸１２に取着される操作アーム側アーム２３と、下端が足乗せ部軸１３に取着される足板側アーム２７と、負荷アーム１０と操作アーム側アーム２３とを掛止し及び負荷アーム１０と足板側アーム２７とを掛止する負荷掛止具７とからなる。前記負荷アーム１０の下端は負荷アーム軸１１に取着される。
【００３２】
負荷掛止具７の操作によって、前記錘９を、足乗せ部５の負荷とし、又は操作アーム４の負荷とし、又は、足乗せ部５及び操作アーム４に同時に両方の負荷とし、共用する。
【００３３】
負荷アーム軸１１は負荷装置６に繋がっており、操作アーム軸１２は操作アーム４に繋がっており、足乗せ部軸１３は足乗せ部５に繋がっている。
負荷掛止具７は、負荷アーム軸１１と操作アーム軸１２とを連結・解除し、及び、負荷アーム軸１１と足乗せ部軸１３とを連結・解除するものであり、足乗せ部５の負荷及び操作アーム４の負荷に前記錘９を共用する。
【００３４】
詳しくは、負荷掛止具７には、操作アーム側アーム２３と負荷アーム１０とを掛止する操作アーム掛止具１６と、足板側アーム２７と負荷アーム１０とを掛止する足板掛止具１７とがある。
【００３５】
負荷掛止具７の適宜な連結・解除操作によりレッグプレスとチェストプレスの訓練が同時に又は別々にできる。即ち、足板掛止具１７及び操作アーム掛止具１６の適宜な掛止・解除操作により、足乗せ部５及び操作アーム４に、双方同時に又は択一的に錘９を連結できる。
【００３６】
操作アーム側アーム２３の上端にアーム位置調節片２５が取り付けられる。
負荷アーム１０に操作アーム掛止具１６が取り付けられる。
操作アーム掛止具１６で、アーム位置調節片２５の複数個の掛止穴２４のいずれかを適宜選択して負荷アーム１０に操作アーム側アーム２３を掛止しこの操作によって操作アーム４の訓練開始位置を調節する。
チェストプレスの訓練をしない時、前記掛止穴２４に操作アーム固定具３１を差し込むと、操作アーム側アーム２３及び操作アーム４が回動不自在にロックされる。
【００３７】
足乗せ部軸１３に繋がる足板側アーム２７の上端に足板位置調節片２８が取り付けられる。
負荷アーム１０に足板掛止具１７が設けられる。足板掛止具１７で足板位置調節片２８の複数個の掛止穴２４のいずれかを適宜選択して負荷アーム１０に足板側アーム２７を掛止しこの操作によって足乗せ部５の訓練開始位置を調節する。
レッグプレスの訓練をしない時、前記掛止穴２４に足板固定具３２を差し込むと、足板側アーム２７及び足乗せ部５が回動不自在にロックされる。
図１中、４２は運動範囲を規制するロムストッパーである。
【００３８】
実施例１を使用する際には、先ず、被訓練者毎に異なる体格に合わせて、座部３６を好適な高さに変更調節する。移乗時には、操作アーム４を移乗の邪魔にならない位置に移動し固定する。被訓練者は椅子部２に腰掛ける。
前述の移動し固定した操作アーム４は、体が不自由な被訓練者には移乗用手摺りとして使用される。
チェストプレスの訓練を行なう場合は、操作アーム４の把手３（＝具体例では横把手３ａ）を掴む。
【００３９】
操作アーム掛止具１６で、アーム位置調節片２５の掛止位置を適宜選択して掛止し操作アーム４の訓練開始位置を調節し設定する。
【００４０】
次に、被訓練者は、胸、肩、上肢に力を入れ操作アーム４を前方へ押し出す。
負荷装置６の錘９は複数個積み重ねられてあり、操作アーム４の回動に伴って引き上げられる。前述の引き上げられる錘９の数は、錘調節ピン４０の差込穴４１の位置を適宜選択して調節する。
【００４１】
錘調節ピン４０を下方の差込穴４１に差込み、錘９の数を増せば訓練の負荷は大きくなり、錘調節ピン４０を上方の差込穴４１に差込み、錘９の数を減らせば訓練の負荷は小さくなる。
【００４２】
次に、被訓練者は、手を突き出し操作アーム４を押し（＝往動）訓練を開始する。操作アーム４が前方へ動いた距離に比例して錘９が吊り上がり、錘９の重量が被訓練者へ負荷となって掛かる。
【００４３】
次に、胸、肩、上肢の力を抜き、手を戻す（＝復動）。この時、錘９は下降し元位置へ戻る。次に、再び胸、肩、上肢に力を入れ、操作アーム４を前方へ押す。
前述の往動と復動の動作を所定回数行ない又は所定時間行ない、上肢訓練を行なう。この訓練で、大胸筋、三角筋前部、上腕三頭筋等の筋力増強訓練を行なう。
【００４４】
次に、レッグプレスの訓練を行なう場合を述べると、被訓練者は椅子部２に腰掛けた後、足乗せ部５に足を乗せる。
足板掛止具１７で、足板位置調節片２８の掛止位置を適宜選択して掛止し、足乗せ部５の訓練開始位置を調節し設定する。
【００４５】
次に被訓練者は、グリップ１５を握り、下肢に力を入れ、膝を伸展し、足乗せ部５を前方へ蹴り出す。
足乗せ部５が前方へ動いた距離に比例して錘９が吊り上がり、錘９の重量が被訓練者へ負荷となって掛かる。
【００４６】
次に、下肢の力を抜き、足を戻す（＝復動）。この時、錘９は下降し元位置へ戻る。次に、再び下肢に力を入れ、足乗せ部５を前方へ押す。
前述の往動、復動の動作を所定回数行ない又は所定時間行ない、下肢訓練を行なう。この訓練で、大腿四頭筋等の筋力増強訓練を行なう。
【００４７】
チェストプレスの訓練だけを行なう場合は、操作アーム掛止具１６の掛止操作で、操作アーム４と負荷装置６を連結する。足乗せ部５に付いては、足板掛止具１７を解除操作すると共に足板固定具３２の錠止操作で移動不自在に固定する。
【００４８】
レッグプレスの訓練だけを行なう場合は、足板掛止具１７の掛止操作で、足乗せ部５と負荷装置６を連結する。操作アーム４に付いては、操作アーム掛止具１６を解除操作すると共に操作アーム固定具３１の錠止操作で移動不自在に固定する。
【００４９】
チェストプレスの訓練及びレッグプレスの訓練の２種類の訓練を同時に行なう場合は、操作アーム掛止具１６の掛止操作で、操作アーム４と負荷装置６を連結し、足板掛止具１７の掛止操作で、足乗せ部５と負荷装置６を連結し、操作アーム４と足乗せ部５を一体化させておいて、被訓練者は、操作アーム４と足乗せ部５とに力を入れて両部材を同時に動かし、訓練を行なう。
【００５０】
訓練を終了する時は、被訓練者は腕や足の力を緩め、操作アーム４及び足乗せ部５を元位置に戻し、椅子部２から降り、訓練を終了する。
【実施例２】
【００５１】
図３に示す実施例２は、実施例１に係る足フレーム１９を、リンク足フレーム２２に代えたものである。
実施例２に係る足乗せ部５は、足板１８と、平行リンク２１と、リンク足フレーム２２とからなる。レッグプレスの訓練の場合、膝を伸展させると足板１８は、足に押されて傾斜角度を一定に保ちながら回動する。
【実施例３】
【００５２】
図４乃至８に示す実施例３は、実施例１に係る負荷アーム１０及び負荷掛止具７を、動滑車４３及び操作側索体４４に代えたものである。
【００５３】
図８に示す操作アーム４は、略Ｕ字形状の枠部材であり、下位置の下部４ａと、中位置の中部４ｂと、上位置の上部４ｃと、上部４ｃを中部４ｂに固定するロック具５７とからなる。上部４ｃは中部４ｂに内嵌支持されテレスコープ状に伸縮できる。操作アーム４を非使用時は上部４ｃを中部４ｂに進入させ、該操作アーム４を収縮させる。
実施例１と同様に、実施例３の筋力訓練機２６の１台で、上肢訓練と下肢訓練とを、同時に行ない又はいずれかを行なう。
【００５４】
操作アーム側アーム２３の上端２３ａと、足板側アーム２７の上端２７ａとは操作側索体４４で連結される。操作側索体４４の張設中間部は動滑車４３に掛け回され、動滑車４３の中心軸４５は負荷装置６に連結される。
【００５５】
操作アーム側アーム２３の上端２３ａに、上肢滑車４６が設けられ、操作側索体４４が掛け回される。上肢滑車４６に掛け回される操作側索体４４の、索体一方４４ａは動滑車４３に掛け回され、索体他方４４ｂはその先端が、フレーム１の被掛止棒４７に掛け止められる。
索体他方４４ｂの先端には上肢側フック４８が取着されており、該上肢側フック４８は被掛止棒４７に着脱容易である。
又、索体他方４４ｂの先端は、必要に応じて、被掛止棒４７から外し、操作アーム側アーム２３の上端２３ａに当接掛止する。
【００５６】
足板側アーム２７の上端２７ａに、脚滑車４９が設けられ、操作側索体４４が掛け回される。脚滑車４９に掛かる操作側索体４４の、索体一方４４ｃは動滑車４３に至り前記上肢滑車４６の索体一方４４ａと一連とされ、索体他方４４ｄはその先端が、フレーム１の被掛止棒４７に掛け止められる。索体他方４４ｄの先端には脚側フック５０が取着されており、該脚側フック５０は被掛止棒４７に着脱容易である。
【００５７】
又、索体他方４４ｄの先端は、必要に応じて、被掛止棒４７から外し、足板側アーム２７の上端２７ａに当接掛止する。
尚、図４中、５６はガイドローラーである。
【００５８】
実施例３を使用する場合は、操作アーム４を訓練者が手で前方へ押すと、操作アーム側アーム２３が操作アーム軸１２を中心に回動する。
上肢滑車４６が動き、索体一方４４ａを引き下げ、動滑車４３を引き下げる。この時、操作側索体４４における動滑車４３に掛け回される他端は固定状態にある。
動滑車４３は、紐３４を介して錘９を引き上げ、訓練者の上肢の動きに負荷を掛ける。
【００５９】
足乗せ部５を訓練者が足で前方へ押すと、足板側アーム２７が足乗せ部軸１３を中心に回動する。脚滑車４９が動き、索体一方４４ａを引き下げ、動滑車４３を引き下げる。この時、操作側索体４４における動滑車４３に掛け回される他端は固定状態にある。動滑車４３は、紐３４を介して錘９を引き上げ、訓練者の下肢の動きに負荷を掛ける。
【００６０】
訓練者が、操作アーム４を手で前方へ押すと共に、足乗せ部５を足で前方へ押すと、操作アーム４及び足乗せ部５の動きに錘９の負荷が掛かり、上下肢訓練が行なえる。操作アーム４と足乗せ部５とは、互いに独立して動く。
【００６１】
手動で上肢側フック４８を、フレーム１に設けられた被掛止棒４７に掛け止める。上肢側フック４８が被掛止棒４７に掛け止められている場合は、操作アーム４に負荷作用する錘９の倍率は固有重量の１倍である。手動で上肢側フック４８を被掛止棒４７から外し上肢滑車４６に当接掛止すると、錘９の前記倍率は０．５倍となる。
【００６２】
手動で脚側フック５０を被掛止棒４７に掛け止める。脚側フック５０を被掛止棒４７に掛け止めている場合は、足乗せ部５に負荷作用する錘９の倍率は固有重量の１倍である。手動で脚側フック５０を被掛止棒４７から外し脚滑車４９に当接掛止すると、錘９の前記倍率は０．５倍となる。
【００６３】
操作アーム側アーム２３と足板側アーム２７の連動、非連動を切り換える連動切換具５１が、操作アーム側アーム２３と足板側アーム２７とに渡って設けられる。
連動切換具５１は、操作アーム側アーム２３に設けられる穴片５２と、足板側アーム２７に設けられるピン５３及びピン保持具５４とからなる。
ピン５３は、進出位置と退入位置とに切り換え固定させることができるものであり、穴片５２の穴５５に嵌入させた進出状態では、操作アーム側アーム２３と足板側アーム２７は互いに連結される。
【００６４】
ピン５３を穴片５２の穴５５に嵌入させた進出状態で、操作アーム４又は足乗せ部５を押し動かすとそれら両者が同期して動く。訓練者が、操作アーム４又は足乗せ部５の内の、一方部材（例えば操作アーム４）への押し力を消失させても、他方部材（例えば足乗せ部５）が動けばその動きが一方部材へ伝動し、一方部材は引き続き動く。
操作アーム４又は足乗せ部５の一方部材を動かそうとする時、動き初めが重いので一方部材の初動を援助する為に他方部材を動かし、一方部材の初動を軽くする。
【産業上の利用可能性】
【００６５】
負荷装置６と操作アーム４とを連結・解除し、及び、負荷装置６と足乗せ部５とを連結・解除する負荷掛止具７を備え、該負荷掛止具７の適宜な連結・解除操作によりレッグプレスとチェストプレスの訓練が同時に又は別々にできる筋力訓練に適用できる。
【００６６】
又、フレーム１に、操作アーム４の下部４ａが取着される操作アーム軸１２と、足乗せ部５の足フレーム１９が取着される足乗せ部軸１３とが設けられ、操作アーム軸１２に操作アーム側アーム２３が立設され、足乗せ部軸１３に足板側アーム２７が立設され、操作アーム側アーム２３の上端２３ａと、足板側アーム２７の上端２７ａとを操作側索体４４で連結し、操作側索体４４の張設中間を動滑車４３に掛け回し、動滑車４３の中心軸４５を負荷装置６に連結したことによって、１台の筋力訓練機２６で上肢訓練と下肢訓練の２種類の訓練を行なえ、省スペースであり、安価であり、便利な筋力訓練機に適用できる。
【図面の簡単な説明】
【００６７】
【図１】本発明の実施例１の斜視図である。
【図２】本発明の実施例１の正面断面図である。
【図３】本発明の実施例２の足乗せ部を示す図である。
【図４】本発明の実施例３の斜視図である。
【図５】本発明の実施例３の正面図である。
【図６】本発明の実施例３の右側面図である。
【図７】本発明の実施例３の斜視図である。
【図８】本発明の実施例３の操作アームの部分図である。
【符号の説明】
【００６８】
１  フレーム
２  椅子部
３  把手
４  操作アーム
４ａ下部
５  足乗せ部
６  負荷装置
７  負荷掛止具
８  負荷フレーム
９  錘
１０  負荷アーム
１１  負荷アーム軸
１２  操作アーム軸
１３  足乗せ部軸
１４  同芯軸
１６  操作アーム掛止具
１７  足板掛止具
１８  足板
１９  足フレーム
２０  足板角度調節器
２１  平行リンク
２２  リンク足フレーム
２３  操作アーム側アーム
２５  アーム位置調節片
２６  筋力訓練機
２７  足板側アーム
２８  足板位置調節片
３０  把手用パイプ
４３  動滑車
４４  操作側索体
４４ａ索体一方
４４ｂ索体他方
４４ｃ索体一方
４４ｄ索体他方
４５  中心軸
４６  上肢滑車
４９  脚滑車
５１  連動切換具
【図１】
2006239395.tif 000003
【図２】
2006239395.tif 000004
【図３】
2006239395.tif 000005
【図４】
2006239395.tif 000006
【図５】
2006239395.tif 000007
【図６】
2006239395.tif 000008
【図７】
2006239395.tif 000009
【図８】
2006239395.tif 000010